【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置において、該データ領域のサイズ制限情報に関する情報を設定するための情報処理方法であって、
第１表示手段が、前記ドキュメント上に配置されたデータ領域を表示する第１表示工程と、
第２表示手段が、前記第１表示工程によって表示されたデータ領域から選択されたデータ領域に設定されているサイズ制限情報を表示する第２表示工程と、
変更手段が、前記第２表示工程によって表示されたサイズ制限情報を変更する変更工程と、
設定手段が、前記変更工程によって変更されたサイズ制限情報を前記選択されたデータ領域に対するサイズ制限情報として設定する設定工程と、を有し、
さらに、前記第２表示工程では、前記変更工程によって変更される前記選択されたデータ領域のサイズ制限情報の変更過程を表示することを特徴とする情報処理方法。
【請求項２】
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置において、該データ領域の基準値を設定するための情報処理方法であって、
第１表示手段が、前記ドキュメント上に配置されたデータ領域を表示する第１表示工程と、
基準値変更手段が、前記第１表示工程によって表示されたデータ領域から選択されたデータ領域の基準値が変更された場合に、該基準値の変更に基づいて前記選択されたデータ領域と関連付けられているデータ領域の基準値を変更する基準値変更工程と、
基準値表示手段が、前記基準値変更工程によって変更された基準値を表示する基準値表示工程と
を有することを特徴とする情報処理方法。
【請求項３】
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置であって、
前記ドキュメント上に配置されたデータ領域を表示する第１表示手段と、
前記第１表示手段によって表示されたデータ領域から選択されたデータ領域に設定されているサイズ制限情報を表示する第２表示手段と、
前記第２表示手段によって表示されたサイズ制限情報を変更する変更手段と、
前記変更手段によって変更されたサイズ制限情報を前記選択されたデータ領域に対するサイズ制限情報として設定する設定手段と、を有し、
さらに、前記第２表示手段は、前記変更手段によって変更される前記選択されたデータ領域のサイズ制限情報の変更過程を表示することを特徴とする情報処理装置。
【請求項４】
前記変更手段は、
前記選択されたデータ領域が有するサイズ制限情報の最小値が変更された場合に、該最小値の変更に基づいて前記選択されたデータ領域と関連付けられているデータ領域が有するサイズ制限情報の最大値を変更し、
前記第２表示手段は、
前記変更手段において変更された前記選択されたデータ領域が有するサイズ制限情報の最小値および前記関連付けられているデータ領域が有するサイズ制限情報の最大値を表示することを特徴とする請求項３に記載の情報処理装置。
【請求項５】
前記変更手段は、
前記選択されたデータ領域が有するサイズ制限情報の最大値が変更された場合に、該最大値の変更に基づいて前記選択されたデータ領域と関連付けられているデータ領域が有するサイズ制限情報の最小値を変更し、
前記第２表示手段は、
前記変更手段において変更された前記選択されたデータ領域が有するサイズ制限情報の最大値および前記関連付けられているデータ領域が有するサイズ制限情報の最小値を表示することを特徴とする請求項３または４に記載の情報処理装置。
【請求項６】
前記変更手段は、
前記選択されたデータ領域が有するサイズ制限情報の基準値が変更された場合に、該基準値の変更に基づいて前記選択されたデータ領域と関連付けられているデータ領域の基準値を変更し、
前記前記第２表示手段は、
前記変更手段において変更された前記選択されたデータ領域の基準値および前記関連付けられているデータ領域の基準値を表示することを特徴とする請求項３乃至５のいずれか１項に記載の情報処理装置。
【請求項７】
前記制御手段は、予め設定された優先順位に基づいて、前記選択されたデータ領域および前記選択されたデータ領域と関連付けられたデータ領域のレイアウトを制御し、
前記変更手段は、前記選択されたデータ領域に対するサイズ制限情報の変更および前記優先順位に基づいて前記関連付けられているデータ領域のサイズ制限情報を変更することを特徴とする請求項３乃至６のいずれか１項に記載の情報処理装置。
【請求項８】
前記変更手段により変更された前記選択されたデータ領域のサイズ制限情報に基づいて前記関連付けられたデータ領域のサイズ制限情報に関する情報を算出し、前記算出されたサイズ制限情報を前記関連付けられたデータ領域に対して設定するか否かについての入力を受け付ける受け付け画面を表示する表示手段を更に備え、
前記表示手段は、表示切り替え指示に従って前記受け付け画面の表示または非表示を切り替えることを特徴とする請求項３乃至７のいずれか１項に記載の情報処理装置。
【請求項９】
前記変更手段は、前記ドキュメント上に配置されたデータ領域と当該データ領域と関連付けられたデータ領域との配置位置を制限する制約条件が設定されている場合に有効であることを特徴とする請求項３乃至８のいずれか１項に記載の情報処理装置。
【請求項１０】
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置であって、
前記ドキュメント上に配置されたデータ領域を表示する第１表示手段と、
前記第１表示手段によって表示されたデータ領域から選択されたデータ領域の基準値が変更された場合に、該基準値の変更に基づいて前記選択されたデータ領域と関連付けられているデータ領域の基準値を変更する基準値変更手段と、
前記基準値変更手段によって変更された基準値を表示する基準値表示手段と
を有することを特徴とする情報処理装置。
【請求項１１】
前記選択されたデータ領域が有するサイズ制限情報の最小値が変更された場合に、該最小値の変更に基づいて前記選択されたデータ領域と関連付けられているデータ領域が有するサイズ制限情報の最大値を変更することを特徴とする請求項１０に記載の情報処理装置。
【請求項１２】
前記選択されたデータ領域が有するサイズ制限情報の最大値が変更された場合に、該最大値の変更に基づいて前記選択されたデータ領域と関連付けられているデータ領域が有するサイズ制限情報の最小値を変更することを特徴とする請求項１０または１１に記載の情報処理装置。
【請求項１３】
前記基準値変更手段は、前記ドキュメント上に配置されたデータ領域と当該データ領域と関連付けられたデータ領域との配置位置を制限する制約条件が設定されている場合に有効であることを特徴とする請求項１０乃至１２のいずれか１項に記載の情報処理装置。
【請求項１４】
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置において、該データ領域のサイズ制限情報に関する情報を設定するための情報処理方法をコンピュータに実行させるプログラムであって、
前記情報処理方法は、
第１表示手段が、前記ドキュメント上に配置されたデータ領域を表示する第１表示工程と、
第２表示手段が、前記第１表示工程によって表示されたデータ領域から選択されたデータ領域に設定されているサイズ制限情報を表示する第２表示工程と、
変更手段が、前記第２表示工程によって表示されたサイズ制限情報を変更する変更工程と、
設定手段が、前記変更工程によって変更されたサイズ制限情報を前記選択されたデータ領域に対するサイズ制限情報として設定する設定工程と、を有し、
さらに、前記第２表示工程では、前記変更工程によって変更される前記選択されたデータ領域のサイズ制限情報の変更過程を表示することを特徴とするプログラム。
【請求項１５】
前記変更工程は、
前記選択されたデータ領域が有するサイズ制限情報の最小値が変更された場合に、該最小値の変更に基づいて前記選択されたデータ領域と関連付けられているデータ領域が有するサイズ制限情報の最大値を変更し、
前記第２表示工程は、
前記変更工程において変更された前記選択されたデータ領域が有するサイズ制限情報の最小値および前記関連付けられているデータ領域が有するサイズ制限情報の最大値を表示することを特徴とする請求項１４に記載のプログラム。
【請求項１６】
前記変更工程は、
前記選択されたデータ領域が有するサイズ制限情報の最大値が変更された場合に、該最大値の変更に基づいて前記選択されたデータ領域と関連付けられているデータ領域が有するサイズ制限情報の最小値を変更し、
前記第２表示工程は、
前記変更工程において変更された前記選択されたデータ領域が有するサイズ制限情報の最大値および前記関連付けられているデータ領域が有するサイズ制限情報の最小値を表示することを特徴とする請求項１４または１５に記載のプログラム。
【請求項１７】
前記変更工程は、
前記選択されたデータ領域が有するサイズ制限情報の基準値が変更された場合に、該基準値の変更に基づいて前記選択されたデータ領域と関連付けられているデータ領域の基準値を変更し、
前記前記第２表示工程は、
前記変更工程において変更された前記選択されたデータ領域の基準値および前記関連付けられているデータ領域の基準値を表示することを特徴とする請求項１４乃至１６のいずれか１項に記載のプログラム。
【請求項１８】
前記制御手段は、予め設定された優先順位に基づいて、前記選択されたデータ領域および前記選択されたデータ領域と関連付けられたデータ領域のレイアウトを制御し、
前記変更工程は、前記選択されたデータ領域に対するサイズ制限情報の変更および前記優先順位に基づいて前記関連付けられているデータ領域のサイズ制限情報を変更することを特徴とする請求項１４乃至１７のいずれか１項に記載のプログラム。
【請求項１９】
表示手段が、前記変更工程により変更された前記選択されたデータ領域のサイズ制限情報に基づいて前記関連付けられたデータ領域のサイズ制限情報に関する情報を算出し、前記算出されたサイズ制限情報を前記関連付けられたデータ領域に対して設定するか否かについての入力を受け付ける受け付け画面を表示する表示工程を更に備え、
前記表示工程は、表示切り替え指示に従って前記受け付け画面の表示または非表示を切り替えることを特徴とする請求項１４乃至１８のいずれか１項に記載のプログラム。
【請求項２０】
前記変更工程は、前記ドキュメント上に配置されたデータ領域と当該データ領域と関連付けられたデータ領域との配置位置を制限する制約条件が設定されている場合に有効であることを特徴とする請求項１４乃至１９のいずれか１項に記載のプログラム。
【請求項２１】
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置において、該データ領域の基準値を設定するための情報処理方法をコンピュータに実行させるプログラムであって、
前記情報処理方法は、
第１表示手段が、前記ドキュメント上に配置されたデータ領域を表示する第１表示工程と、
基準値変更手段が、前記第１表示工程によって表示されたデータ領域から選択されたデータ領域の基準値が変更された場合に、該基準値の変更に基づいて前記選択されたデータ領域と関連付けられているデータ領域の基準値を変更する基準値変更工程と、
基準値表示手段が、前記基準値変更工程によって変更された基準値を表示する基準値表示工程と
を有することを特徴とするプログラム。
【請求項２２】
前記選択されたデータ領域が有するサイズ制限情報の最小値が変更された場合に、該最小値の変更に基づいて前記選択されたデータ領域と関連付けられているデータ領域が有するサイズ制限情報の最大値を変更することを特徴とする請求項２１に記載のプログラム。
【請求項２３】
前記選択されたデータ領域が有するサイズ制限情報の最大値が変更された場合に、該最大値の変更に基づいて前記選択されたデータ領域と関連付けられているデータ領域が有するサイズ制限情報の最小値を変更することを特徴とする請求項２１または２２に記載のプログラム。
【請求項２４】
前記基準値変更工程は、前記ドキュメント上に配置されたデータ領域と当該データ領域と関連付けられたデータ領域との配置位置を制限する制約条件が設定されている場合に有効であることを特徴とする請求項２１乃至２３のいずれか１項に記載のプログラム。
【手続補正２】
【補正対象書類名】明細書
【補正対象項目名】００１７
【補正方法】変更
【補正の内容】
【００１７】
上記課題を解決するために、本発明に係る情報処理方法は以下のような構成を備える。即ち、
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置において、該データ領域のサイズ制限情報に関する情報を設定するための情報処理方法であって、
第１表示手段が、前記ドキュメント上に配置されたデータ領域を表示する第１表示工程と、
第２表示手段が、前記第１表示工程によって表示されたデータ領域から選択されたデータ領域に設定されているサイズ制限情報を表示する第２表示工程と、
変更手段が、前記第２表示工程によって表示されたサイズ制限情報を変更する変更工程と、
設定手段が、前記変更工程によって変更されたサイズ制限情報を前記選択されたデータ領域に対するサイズ制限情報として設定する設定工程と、を有し、
さらに、前記第２表示工程では、前記変更工程によって変更される前記選択されたデータ領域のサイズ制限情報の変更過程を表示することを特徴とする。
【手続補正３】
【補正対象書類名】明細書
【補正対象項目名】００１８
【補正方法】変更
【補正の内容】
【００１８】
あるいは、上記課題を解決するために、本発明に係る他の情報処理方法は以下のような構成を備える。即ち、
ドキュメント上に配置された複数のデータ領域にコンテンツデータを流し込んだ際の該データ領域のレイアウトを、該データ領域に設定されたサイズ変更の範囲であるサイズ制限情報に基づいて制御する制御手段を備える情報処理装置において、該データ領域の基準値を設定するための情報処理方法であって、
第１表示手段が、前記ドキュメント上に配置されたデータ領域を表示する第１表示工程と、
基準値変更手段が、前記第１表示工程によって表示されたデータ領域から選択されたデータ領域の基準値が変更された場合に、該基準値の変更に基づいて前記選択されたデータ領域と関連付けられているデータ領域の基準値を変更する基準値変更工程と、
基準値表示手段が、前記基準値変更工程によって変更された基準値を表示する基準値表示工程とを有することを特徴とする。